(57)【特許請求の範囲】
【請求項１】
スライド板、側面板、第２側面板、接着片が横方向にこの順序で、スライド板と側面板はミシン目線を介して、また、側面板と第２側面板と接着片とは折り曲げ線を介してそれぞれ連設され、スライド板、側面板、第２側面板のそれぞれ下方には、中央に向けて凹んだ円弧状の折り曲げ線を介して紡錘形状の、スライド板に対応してスライド底板が、側面板に対応して側面底板が、第２側面板に対応して第２側面底板が、それぞれ略同じ形状で連設され、第２側面板の中央部には上端近傍から下端近傍にまで達する長窓が穿設され、接着片の下端縁は前記凹んだ円弧状の折り曲げ線と略同形状に形成され、紡錘形状のスライド底板、側面底板、第２側面底板を円弧状の折り曲げ線に沿ってそれぞれ山折りすると共に、スライド板を内側にしてミシン目線と折り曲げ線に沿って側面板、第２側面板、接着片を順次折り重ね、側面板の表面と接着片の裏面を接合させたことを特徴とする、スティック状食品用紙製ホルダー。
【請求項２】
前記側面板の上方に、横方向の折り曲げ線を介して先端近傍から横方向の折り曲げ線にまで達する縦方向の切り込み線が略中央に穿設された側面板より長い支持板が連設されていることを特徴とする、請求項１記載のスティック状食品用紙製ホルダー。
【請求項３】
前記スライド板の横幅は、側面板、第２側面板、接着片の横幅よりも狭幅に形成されていることを特徴とする、請求項１又は２記載のスティック状食品用紙製ホルダー。
【請求項４】
前記スライド板、側面板、第２側面板、接着片の上端は、中央部が高い円弧状に形成されていることを特徴とする、請求項１記載のスティック状食品用紙製ホルダー。
【発明の詳細な説明】
【０００１】
【発明の属する技術分野】
本発明は、スティック状の食品を持ち歩きながら食するための紙製ホルダーに関し、特には、使用途中でゴミが発生せず、扱いが簡単で断熱効果が高く、かつ、使用中に水平面に置くことが可能なスティック状食品用紙製ホルダーに関する。
【０００２】
【従来の技術】
従来、スティック状の食品を持ち歩きながら食するための紙製ホルダーとして、図６に示すような形状のものが存在していた。
この紙製ホルダーは、１枚の板紙を折り曲げ、端部を貼着するなどして容器状に組み立て、収納部（５１）と背の高い背面板（５２）を有する紙製ホルダー（５０）としたもので、ホルダーの紙自体を剥いで使用するため使用途中でゴミが出てしまう、組み立てた容器状のホルダーの収納部（５１）にスティック状の食品を入れるため、食品を手で保持することがなく歩行中などに食品がホルダーから飛び出してしまうことがある、手からホルダーが落ちてしまうこともある、使用中に水平面に安定して置くことができない、耐熱性に配慮されていない、等の問題があった。
【０００３】
【発明が解決しようとする課題】
本発明は、スティック状の食品を持ち歩きながら食するための紙製ホルダーに関する以上のような問題に鑑みてなされたもので、食する際、ホルダーの一部を剥がす必要がなく、食品がホルダーから飛び出しにくく、かつ、自立性があり、熱いスティック状食品にも冷たいスティック状食品にも断熱性が考慮され、扱いが簡単な紙製ホルダーを提供することを目的とする。
【０００４】
【課題を解決するための手段】
本発明の請求項１の発明は、スライド板、側面板、第２側面板、接着片が横方向にこの順序で、スライド板と側面板はミシン目線を介して、また、側面板と第２側面板と接着片とは折り曲げ線を介してそれぞれ連設され、スライド板、側面板、第２側面板のそれぞれ下方には、中央に向けて凹んだ円弧状の折り曲げ線を介して紡錘形状の、スライド板に対応してスライド底板が、側面板に対応して側面底板が、第２側面板に対応して第２側面底板が、それぞれ略同じ形状で連設され、第２側面板の中央部には上端近傍から下端近傍にまで達する長窓が穿設され、接着片の下端縁は前記凹んだ円弧状の折り曲げ線と略同形状に形成され、紡錘形状のスライド底板、側面底板、第２側面底板を円弧状の折り曲げ線に沿ってそれぞれ山折りすると共に、スライド板を内側にしてミシン目線と折り曲げ線に沿って側面板、第２側面板、接着片を順次折り重ね、側面板の表面と接着片の裏面を接合させたことを特徴とする、スティック状食品用紙製ホルダーである。
【０００５】
このように請求項１記載の発明によれば、スライド板が側面板、第２側面板、接着片の最内面に折り重ねられ、スライド板、側面板、第２側面板、接着片の各下端は紡錘形状のスライド底板、側面底板、第２側面底板が円弧状の折り曲げ線に沿って山折りされ、かつ、長窓が穿設された第２側面板の内側にスライド板が折り重ねられているので、上記紡錘形状のスライド底板、側面底板、第２側面底板を山折りすることによって生じた横断面が紡錘形状の空間の中央部に挟んだスティック状食品は、紙製ホルダーを片手で持ち、持った片手の親指を長窓からスライド板にあててスライド板を上方に押し上げると、スライド板と側面板を連設しているミシン目線が切れてスライド板と共にスティック状食品が第２側面底板によって上方に押し上げられ、紙製ホルダーを破るなどの動作をすることなく、また、直接食品に手を触れることなくスティック状食品を最後まで食することができる。
ミシン目線を片ジッパーにすると、スライド板を側面板からさらに容易に切断することができる。
【０００６】
また、スライド板はミシン目線を切断することによって始めて上方にスライド可能となるので、紙製ホルダーが既使用されたものか否かがすぐ分かる。
【０００７】
さらに、側面板と第２側面板の下方に設けた２つの紡錘形状の底板を円弧状の折り曲げ線によって順次山折りすることによって生じた横断面が紡錘形状の空間の中央部分にスティック状食品をはさむので、食品がホルダーから外れにくい。紡錘形状空間の両端部分をつかんでホルダーを手でつかむので、例えば、熱い食品をホルダーに入れても紡錘形状空間が断熱層になって断熱性に配慮した構造の紙製ホルダーである。
【０００８】
また請求項２の発明は、請求項１の発明において、前記側面板の上方に、横方向の折り曲げ線を介して先端近傍から横方向の折り曲げ線にまで達する縦方向の切り込み線が略中央に穿設された側面板より長い支持板が連設されていることを特徴とする、スティック状食品用紙製ホルダーである。
【０００９】
このように請求項２記載の発明によれば、前記側面板の上方に、横方向の折り曲げ線を介して先端近傍から横方向の折り曲げ線にまで達する縦方向の切り込み線が略中央に穿設された側面板より長い支持板が連設されているので、支持板を外方向に折り返すと支持板は外側に撓んだ状態を保持する。そのため、折り返した支持板により紙製ホルダーは自立するので、スティック状食品を見せて陳列することが可能である。
【００１０】
ホルダーと支持板の間に手を入れて持つようにすると、うっかり手を緩めてもスティック状食品が落ちないし、握力の弱い子供や老齢者のも配慮された構造である。
支持板の上から持つことにより、さらなる断熱効果を得ることができる。
【００１１】
また請求項３の発明は、請求項１又は２の発明において、前記スライド板の横幅は、側面板、第２側面板、接着片の横幅よりも狭幅に形成されていることを特徴とする、スティック状食品用紙製ホルダーである。
【００１２】
このように請求項３記載の発明によれば、スライド板の横幅は、側面板、第２側面板、接着片の横幅よりも狭幅に形成されているので、スライド板は紙製ホルダーの中で無理なくスライドさせることができる。
【００１５】
また請求項４の発明は、請求項１記載の発明において、前記スライド板、側面板、第２側面板、接着片の上端は、中央部が高い円弧状に形成されていることを特徴とする、スティック状食品用紙製ホルダーである。
【００１６】
このように請求項４記載の発明によれば、スライド板、側面板、第２側面板、接着片の上端は、中央部が高い円弧状に形成されているので、見栄えが良い。
【００１７】
【発明の実施の形態】
本発明のスティック状食品用ホルダーを一実施形態に基づいて以下に詳細に説明する。
図１は本発明のスティック状食品用ホルダーの実施形態の１つを示す展開説明図で、スライド板（１１）、側面板（１２）、第２側面板（１３）、接着片（１４）が横方向にこの順序で、スライド板と側面板はミシン目線（ａ）を介して、また、側面板と第２側面板と接着片とは折り曲げ線（ｂ）を介してそれぞれ連設されている。第２側面板（１３）と接着片（１４）の間に介在させる折り曲げ線（ｂ）は、紙厚を考慮して、図１に示すような二重折り曲げ線とすると、紙製ホルダー（１０）に組み立てた際、綺麗に仕上げることができる。
【００１８】
なお、接着片（１４）は、図１に示すように側面板（１２）全体を覆う形状ではなく、側面板の一部を覆う形状であっても構わない。
また、側面板（１２）の下端はスライド板（１１）の下端より使用材料の厚さ程度長く形成させ、第２側面板（１３）の下端は側面板（１２）の下端より使用材料の厚さ程度長く形成させることにより、ホルダーに形成した際、綺麗に仕上がる。
【００１９】
さらに、スライド板（１１）の横幅を、側面板（１２）、第２側面板（１３）の横幅よりも狭幅に形成させることにより、使用時にスライド板が紙製ホルダーの中で無理なくスライドできる。具体的には、側面板や第２側面板の横幅が５５ミリ程度の場合、スライド板の横幅は５０ミリ程度が好適である。
【００２０】
スライド板（１１）、側面板（１２）、第２側面板（１３）のそれぞれ下方には、中央に向けて凹んだ円弧状の折り曲げ線（ｃ）を介して紡錘形状の、スライド板に対応してスライド底板（１５）が、側面板に対応して側面底板（１６）が、第２側面板に対応して第２側面底板（１７）が、それぞれ略同じ形状で連設されている。
【００２１】
また、スライド板（１１）、側面板（１２）、第２側面板（１３）、接着片（１４）の上端縁を、中央部が高い円弧状に形成されておくことにより、紙製ホルダーに組み立てた際見栄えが良くなる。
【００２２】
第２側面板（１３）の中央部には上端近傍から下端近傍にまで達する長窓（１３ａ）が穿設されている。
また、接着片（１４）の下端縁は前記凹んだ円弧状の折り曲げ線と略同形状に形成されている。
【００２３】
このような形状のブランクを、まず、紡錘形状のスライド底板（１５）、側面底板（１６）、第２側面底板（１７）を円弧状の折り曲げ線（ｃ）に沿ってそれぞれ山折りする。
ついで、スライド板（１１）を内側にしてミシン目線（ａ）と折り曲げ線（ｂ）に沿って側面板（１２）、第２側面板（１３）、接着片（１４）を順次折り重ね、側面板（１２）の表面と接着片（１４）の裏面を、例えば、接着剤、両面粘着テープ等を用いて接合させて、スライド板（１１）と側面板（１２）の間に横切断面が紡錘形状の空間を形成させて、本発明のスティック状食品用紙製ホルダーが出来上がる。
【００２４】
使用に際しては、図２（ａ）、（ｂ）に示すように、スティック状食品（２０）を紙製ホルダー（１０）のスライド板と側面板の間に形成させた横切断面が紡錘形状の空間に挟み込む。
スティック状食品（２０）を挟んだ紙製ホルダー（１０）をホルダーの両端を握るように片手でつかみ、スティック状食品を食する。
スティック状食品が短くなったら、握っている片手の親指を長窓からスライド板（１１）にあて、スライド板を押し上げると、スライド板と側面板をつないでいたミシン目線が切れ、スライド板はスティック状食品と一緒に押し上がる。
このようにしてスティック状食品に手を触れることなく、また、紙製ホルダーをやぶるなどすることなく、スティック状食品を最後まで食べきることができる。
【００２５】
図５は、紙製ホルダー（１０）にスティック状食品（２０）を挟んだ状態の断面を示した模式説明図で、ホルダーの左右の端部（３１、３２）をつかむように紙製ホルダー（１０）を持つことで、熱いものでも冷たいものでも容易に保持することができる。
スティック状食品（２０）は、紙製ホルダー（１０）の中央の撓んだ部分（３３、３４）で保持されているので、例えば、歩行中であっても食品がホルダーから抜け落ちたりすることはない。
【００２６】
図３は、本発明のスティック状食品用紙製ホルダーの別の実施形態を示す展開説明図である。
先のホルダーと同様に、スライド板（１１）、側面板（１２）、第２側面板（１３）、接着片（１４）が横方向にこの順序で、スライド板と側面板はミシン目線（ａ）を介して、また、側面板と第２側面板と接着片とは折り曲げ線（ｂ）を介してそれぞれ連設されている。第２側面板（１３）と接着片（１４）の間に介在させる折り曲げ線（ｂ）は、紙厚を考慮して、図３に示すような二重折り曲げ線とすると、紙製ホルダー（１０）に組み立てた際、綺麗に仕上がる。
【００２７】
側面板（１２）の上方には、横方向の折り曲げ線（ｄ）を介して先端近傍から横方向の折り曲げ線にまで達する縦方向の切り込み線（ｃ）が略中央に穿設された側面板より長い支持板（１８）が連設されている。
これ以外の構造は先に述べた実施形態と同様であるので省略する。
【００２８】
このような形状のブランクを、まず、紡錘形状のスライド底板（１５）、側面底板（１６）、第２側面底板（１７）を円弧状の折り曲げ線（ｃ）に沿ってそれぞれ山折りする。
ついで、スライド板（１１）を内側にしてミシン目線（ａ）と折り曲げ線（ｂ）に沿って側面板（１２）、第２側面板（１３）、接着片（１４）を順次折り重ね、側面板（１２）の表面と接着片（１４）の裏面を、例えば、接着剤、両面粘着テープ等を用いて接合させて、スライド板（１１）と側面板（１２）の間に横切断面が紡錘形状の空間を形成させて、本発明のスティック状食品用紙製ホルダーが出来上がる。
【００２９】
使用に際しては、先の実施形態の際と同様に、図４（ａ）、（ｂ）、（ｃ）に示すように、スティック状食品（２０）を紙製ホルダー（１０）のスライド板と側面板の間に形成させた横切断面が紡錘形状の空間に挟み込む。
スティック状食品（２０）を挟んだ紙製ホルダー（１０）をホルダーの両端を握るように片手でつかみ、スティック状食品を食する。
スティック状食品が短くなったら、握っている片手の親指を長窓からスライド板（１１）にあて、スライド板を押し上げると、スライド板と側面板をつないでいたミシン目線が切れ、スライド板はスティック状食品と一緒に押し上がる。
このようにしてスティック状食品に手を触れることなく、また、紙製ホルダーをやぶるなどすることなく、スティック状食品を最後まで食べきることができる。
【００３０】
ホルダーの左右の端部（３１、３２）をつかむように紙製ホルダー（１０）を持つことで、熱いものでも冷たいものでも容易に保持することができるし、スティック状食品（２０）は、紙製ホルダー（１０）の中央の撓んだ部分（３３、３４）で保持されているので、例えば、歩行中であっても食品がホルダーから抜け落ちたりすることはないことは先に述べた実施形態と同様である（図４（ａ），（ｂ）および図５参照）。
【００３１】
支持板（１８）の先端を持って外方に折り返すと、縦方向に切り込み線（ｃ）と横方向の折り曲げ線（ｄ）によって支持板（１８）は撓んだ状態が維持されるため、水平面に安定した状態で置くことができ、スティック状食品を見せた状態で陳列することもできる（図４（ｃ）参照）。
【００３２】
【発明の効果】
上記のように、本発明のスティック状食品用紙製ホルダーを使用することにより、次のような効果がある。
すなわち、スライド板をミシン目線で側面板から切り離して押し上げるのみで、スティック状食品を最後まで食べきることができるので、食べている途中でゴミがでない。
スライド板と側面板がミシン目線を介して連設されていることにより、一旦使用したホルダーはスライド板と側面板が離れてしまい、ホルダーのバージン性が保持される。
食品を保持する部分は側面板と第２側面板の間に挟む構造のため、食品は紙製ホルダーにしっかりと保持される。
側面板の上方に支持板を設けた構造の紙製ホルダーであれば、紙製ホルダーの下部を握った手の外側に支持板を折り曲げるので、折り曲げた支持板が手に被さって子供や老齢者など小さな握力の人でも紙製ホルダーが手から落ちにくい。
支持板を折り返すと支持板の先端が支点となって自立するので、陳列することができる。
食品が触れる個所と手で支持する個所が異なるため、耐熱性に配慮した紙製ホルダーである。
【図面の簡単な説明】
【図１】本発明のスティック状食品用紙製ホルダーのブランクの一実施例を示す、展開説明図である。
【図２】図１のブランクを紙製ホルダーに組み立てスティック状食品をはさみ、（ａ）は紙製ホルダーを手で持った状態を示す説明図であり、（ｂ）はスライド板とスティック状食品を上方に移動させた状態を示す説明図である。
【図３】本発明のスティック状食品用紙製ホルダーのブランクの別の実施例を示す、展開説明図である。
【図４】図３のブランクを紙製ホルダーに組み立てスティック状食品をはさみ、（ａ）は紙製ホルダーを手で持った状態を示す説明図であり、（ｂ）はスライド板とスティック状食品を上方に移動させた状態を示す説明図であり、（ｃ）は支持板を折り返し、使用中に水平面に置いた状態を示す説明図である。
【図５】本発明のスティック状食品用紙製ホルダーにスティック状食品を挟んだ状態を模式的に示す、断面説明図である。
【図６】従来のスティック状食品用紙製ホルダーの一例を示す説明図である。
【符号の説明】
１０‥‥紙製ホルダー
１１‥‥スライド板
１２‥‥側面板
１３‥‥第２側面板
１３ａ‥長窓
１４‥‥接着片
１５‥‥スライド底板
１６‥‥側面底板
１７‥‥第２側面底板
１８‥‥支持板
２０‥‥スティック状食品
５０‥‥紙製ホルダー
５１‥‥収納部
５２‥‥背面板
ａ‥‥ミシン目線
ｂ‥‥折り曲げ線
ｃ‥‥切り込み線
ｄ‥‥横方向の折り曲げ線
【図１】
0003965554.tif 000002
【図２】
0003965554.tif 000003
【図３】
0003965554.tif 000004
【図４】
0003965554.tif 000005
【図５】
0003965554.tif 000006
【図６】
0003965554.tif 000007